(57)【要約】【課題】本発明は、面状照明装置に関し、構造が簡易であり面状に発光する照明装置を得ることを目的とする。【解決手段】本発明に係る照明装置は、複数の導光体と、レーザー光源と、を備え、複数の導光体の各々は、レーザー光が入射する入射端面と、入射端面と対向する対向面と、光を出射する出射面と、を有し、出射面の幅は、入射端面から対向面に向かって広くなり、出射面の広がり角は、レーザー光の発散角以下であり、入射端面の幅は、入射端面におけるレーザー光のビーム幅以下であり、複数の導光体は並べて設けられ、複数の導光体は、隣接する２つの導光体において、一方の導光体の入射端面と他方の導光体の対向面とが隣接し、一方の導光体の対向面と他方の導光体の入射端面とが隣接するように設けられる。【選択図】図１
2018137169.tif 000002
【特許請求の範囲】
【請求項１】
複数の導光体と、
レーザー光を出射するレーザー光源と、
を備え、
前記複数の導光体の各々は、
前記レーザー光が入射する入射端面と、
前記入射端面と対向する対向面と、
平面視において前記入射端面から前記対向面に繋がる面であり、光を出射する出射面と、
を有し、
前記出射面の幅は、前記入射端面から前記対向面に向かって広くなり、
前記出射面の広がり角は、前記レーザー光の発散角以下であり、
前記入射端面の幅は、前記入射端面における前記レーザー光のビーム幅以下であり、
前記複数の導光体の各々において、前記出射面と対向する裏面には、前記レーザー光の角度を変更し、前記レーザー光を前記出射面から取り出す複数の光取り出し構造が設けられ、
前記複数の導光体は並べて設けられ、
前記複数の導光体は、隣接する２つの導光体において、一方の導光体の入射端面と他方の導光体の対向面とが隣接し、前記一方の導光体の対向面と前記他方の導光体の入射端面とが隣接するように設けられることを特徴とする照明装置。
【請求項２】
前記出射面は、平面視において台形であることを特徴とする請求項１に記載の照明装置。
【請求項３】
前記複数の導光体は、出射面が平面視において等脚台形である第１導光体を含むことを特徴とする請求項１または２に記載の照明装置。
【請求項４】
前記隣接する２つの導光体において、前記一方の導光体の前記入射端面と前記他方の導光体の前記対向面とは、一直線に並び、前記一方の導光体の前記対向面と前記他方の導光体の前記入射端面とは、一直線に並ぶことを特徴とする請求項１〜３の何れか１項に記載の照明装置。
【請求項５】
前記出射面は、前記入射端面と、前記対向面と、前記入射端面の一端と前記対向面の一端との間に設けられた第１側面と、前記入射端面の他端と前記対向面の他端との間に設けられた第２側面と、に囲まれ、
前記隣接する２つの導光体において、前記一方の導光体の第１側面または第２側面と、前記他方の導光体の第１側面または第２側面は接することを特徴とする請求項１〜４の何れか１項に記載の照明装置。
【請求項６】
前記出射面は、前記入射端面と、前記対向面と、前記入射端面の一端と前記対向面の一端との間に設けられた第１側面と、前記入射端面の他端と前記対向面の他端との間に設けられた第２側面と、に囲まれ、
前記複数の導光体は、第１側面または第２側面と、対向面と、が直角を形成する第２導光体を含み、
前記第２導光体は、並べて設けられた前記複数の導光体の両端にそれぞれ配置され、
前記複数の導光体は、平面視において長方形または正方形を形成するように並べて設けられることを特徴とする請求項１〜５の何れか１項に記載の照明装置。
【請求項７】
前記出射面に設けられ、前記複数の導光体を覆う光拡散シートを備えることを特徴とする請求項１〜６の何れか１項に記載の照明装置。
【請求項８】
前記レーザー光を分割する光分離素子と、
前記分割されたレーザー光を前記複数の導光体の各々の前記入射端面に導く導光素子と、
を備えることを特徴とする請求項１〜７の何れか１項に記載の照明装置。
【請求項９】
前記入射端面の幅は、前記入射端面における前記レーザー光の前記ビーム幅に等しいことを特徴とする請求項１〜８の何れか１項に記載の照明装置。
【請求項１０】
前記裏面に設けられ、前記レーザー光を反射させる反射シートを備えることを特徴とする請求項１〜９の何れか１項に記載の照明装置。
【請求項１１】
前記入射端面から離れるほど、単位面積当たりの前記複数の光取り出し構造が占める面積が増えることを特徴とする請求項１〜１０の何れか１項に記載の照明装置。
【請求項１２】
前記入射端面に設けられ、前記レーザー光の前記発散角を拡げる光拡散構造を備えることを特徴とする請求項１〜１１の何れか１項に記載の照明装置。
【発明の詳細な説明】
【技術分野】
【０００１】
本発明は、面状照明装置に関する。
【背景技術】
【０００２】
レーザー光源は、発光効率が高く、発光スペクトル線幅が狭く色純度が高いなどの特徴を有する。このため、レーザー光源は照明光源として利用されることがある。特許文献１には、光源としてレーザー光を使用した面状照明装置が開示されている。
【先行技術文献】
【特許文献】
【０００３】
【特許文献１】特許第４９３２７３２号公報
【発明の概要】
【発明が解決しようとする課題】
【０００４】
一般に、レーザー光源からの出射光は、ＬＥＤ光源と比べて直進性および指向性が高い。このため、面状に発光する照明装置において、レーザー光源は導光板に入射しても導光板の全域に到達し難い。従って、均一な面発光を得るのが難しいという課題があった。このようなレーザー光源の問題点を回避するため、特許文献１では、レーザー光を偏向走査する光スキャナを用いてレーザー光を走査している。このとき、導光板内の全域にレーザー光が到達するようレーザー光は走査される。従って、均一な面発光を得ることができる。
【０００５】
しかし、特許文献１に記載の照明装置は、可動部分を有する光スキャナを用いているため、構成が複雑になる可能性がある。また、照明装置が高価になる可能性がある。
【０００６】
本発明は、上述の課題を解決するためになされたもので、構造が簡易であり面状に発光する照明装置を得ることを目的とする。
【課題を解決するための手段】
【０００７】
本発明に係る照明装置は、複数の導光体と、レーザー光を出射するレーザー光源と、を備え、該複数の導光体の各々は、該レーザー光が入射する入射端面と、該入射端面と対向する対向面と、平面視において該入射端面から該対向面に繋がる面であり、光を出射する出射面と、を有し、該出射面の幅は、該入射端面から該対向面に向かって広くなり、該出射面の広がり角は、該レーザー光の発散角以下であり、該入射端面の幅は、該入射端面における該レーザー光のビーム幅以下であり、該複数の導光体の各々において、該出射面と対向する裏面には、該レーザー光の角度を変更し、該レーザー光を該出射面から取り出す複数の光取り出し構造が設けられ、該複数の導光体は並べて設けられ、該複数の導光体は、隣接する２つの導光体において、一方の導光体の入射端面と他方の導光体の対向面とが隣接し、該一方の導光体の対向面と該他方の導光体の入射端面とが隣接するように設けられる。
【発明の効果】
【０００８】
本発明に係る照明装置では、各々の導項体の出射面は全域が発光面となる。この導光体を複数並べて設けることで、面状に発光する照明装置を得ることができる。従って、レーザー光を偏向走査させるよりも簡易な構造で、面状に発光する照明装置を得ることができる。
【図面の簡単な説明】
【０００９】
【図１】実施の形態１に係る照明装置の分解斜視図である。
【図２】実施の形態１に係る照明装置の平面図である。
【図３】実施の形態１に係る導光体の構造を説明する図である。
【図４】実施の形態１に係る導光体の斜視図である。
【図５】実施の形態１に係る光取り出し構造を説明する図である。
【図６】実施の形態１の比較例に係る照明装置の平面図である。
【図７】実施の形態１の第１の変形例に係る照明装置の平面図である。
【図８】実施の形態１の第２の変形例に係る照明装置の平面図である。
【発明を実施するための形態】
【００１０】
本発明の実施の形態に係る照明装置について図面を参照して説明する。同じ又は対応する構成要素には同じ符号を付し、説明の繰り返しを省略する場合がある。
【００１１】
実施の形態１．
図１は、実施の形態１に係る照明装置１の分解斜視図である。照明装置１は、複数の導光体を備える。複数の導光体は、第１導光体３０と、第２導光体３１、３２を含む。第１導光体３０および第２導光体３１、３２は、例えばアクリル樹脂から形成される。複数の導光体は並べて設けられている。
【００１２】
また、照明装置１は、レーザー光を出射するレーザー光源１１を備える。レーザー光源１１は、半導体レーザー光源である。レーザー光源１１は各々の導光体に設けられている。レーザー光源１１はＬＥＤ等の発光素子であっても良い。
【００１３】
第１導光体３０は、光を出射する出射面３０ｅと、出射面３０ｅと対向する裏面３０ｆを有する。第２導光体３１は、光を出射する出射面３１ｅと、出射面３１ｅと対向する裏面３１ｆを有する。第２導光体３２は、光を出射する出射面３２ｅと、出射面３２ｅと対向する裏面３２ｆを有する。複数の導光体の出射面には、複数の導光体を覆う光拡散シート１４が設けられる。光拡散シート１４は、複数の導光体の出射面の全域を覆う。また、複数の導光体の裏面には、レーザー光を反射させる反射シート１３が設けられる。
【００１４】
図２は、実施の形態１に係る照明装置１の平面図である。図２において、便宜上、光拡散シート１４は省略されている。複数の導光体の各々の出射面は、平面視において台形である。第１導光体３０において、出射面３０ｅは入射端面３０ａと、対向面３０ｂと、第１側面３０ｃと、第２側面３０ｄとに囲まれる。入射端面３０ａからは、レーザー光が入射する。対向面３０ｂは入射端面３０ａと対向する。出射面３０ｅは、平面視において入射端面３０ａから対向面３０ｂに繋がる面である。
【００１５】
第１側面３０ｃは、入射端面３０ａの一端と対向面３０ｂの一端との間に設けられる。第２側面３０ｄは入射端面３０ａの他端と対向面３０ｂの他端との間に設けられる。また、入射端面３０ａ、対向面３０ｂ、第１側面３０ｃおよび第２側面３０ｄは、出射面３０ｅと垂直である。
【００１６】
入射端面３０ａは、対向面３０ｂよりも幅が狭い。また、入射端面３０ａと対向面３０ｂは平行である。また、第１側面３０ｃと第２側面３０ｄは出射面３０ｅにおいて同じ長さである。また、対向面３０ｂと第１側面３０ｃが形成する角度θ１と、対向面３０ｂと第２側面３０ｄが形成する角度θ２は等しい。つまり、第１導光体３０の出射面３０ｅは平面視において等脚台形である。出射面３０ｅは、入射端面３０ａから対向面３０ｂに向かって幅が広くなる。
【００１７】
第２導光体３１において、出射面３１ｅは入射端面３１ａと、対向面３１ｂと、第１側面３１ｃと、第２側面３１ｄとに囲まれる。入射端面３１ａからは、レーザー光が入射する。対向面３１ｂは入射端面３１ａと対向する。出射面３１ｅは、平面視において入射端面３１ａから対向面３１ｂに繋がる面である。第１側面３１ｃは、入射端面３１ａの一端と対向面３１ｂの一端との間に設けられる。第２側面３１ｄは入射端面３１ａの他端と対向面３１ｂの他端との間に設けられる。また、入射端面３１ａ、対向面３１ｂ、第１側面３１ｃおよび第２側面３１ｄは、出射面３１ｅと垂直である。
【００１８】
入射端面３１ａは、対向面３１ｂよりも幅が狭い。また、入射端面３１ａと対向面３１ｂは平行である。また、対向面３１ｂと第１側面３１ｃは角度θ３を形成する。角度θ３は角度θ１および角度θ２と等しい。さらに、第２側面３１ｄと対向面３１ｂは、直角を形成する。出射面３１ｅは、入射端面３１ａから対向面３１ｂに向かって幅が広くなる。
【００１９】
第２導光体３２において、出射面３２ｅは入射端面３２ａと、対向面３２ｂと、第１側面３２ｃと、第２側面３２ｄとに囲まれる。入射端面３２ａからは、レーザー光が入射する。対向面３２ｂは入射端面３２ａと対向する。出射面３２ｅは、平面視において入射端面３２ａから対向面３２ｂに繋がる面である。第１側面３２ｃは、入射端面３２ａの一端と対向面３２ｂの一端との間に設けられる。第２側面３２ｄは入射端面３２ａの他端と対向面３２ｂの他端との間に設けられる。また、入射端面３２ａ、対向面３２ｂ、第１側面３２ｃおよび第２側面３２ｄは、出射面３２ｅと垂直である。
【００２０】
入射端面３２ａは、対向面３２ｂよりも幅が狭い。また、入射端面３２ａと対向面３２ｂは平行である。また、対向面３３ｂと第２側面３１ｄは角度θ４を形成する。角度θ４は角度θ１および角度θ２と等しい。さらに、第１側面３２ｃと対向面３２ｂは、直角を形成する。出射面３２ｅは、入射端面３２ａから対向面３２ｂに向かって幅が広くなる。
【００２１】
複数の導光体は、隣接する２つの導光体において、一方の導光体の入射端面と他方の導光体の対向面とが隣接し、一方の導光体の対向面と他方の導光体の入射端面とが隣接するように設けられている。例えば、隣接する第２導光体３１と第１導光体３０において、入射端面３１ａと対向面３０ｂは隣接する。また、対向面３１ｂと入射端面３０ａは隣接する。
【００２２】
つまり、複数の導光体は、隣接する２つの導光体に入射するレーザー光の向きが逆になるように配置される。また、隣接する２つの導光体において、一方の導光体の入射端面と他方の導光体の対向面とは、一直線に並び、一方の導光体の対向面と他方の導光体の入射端面とは、一直線に並ぶ。このとき、隣接する２つの導光体において、一方の導光体の入射端面と他方の導光体の対向面は平行であり、一方の導光体の対向面と他方の導光体の入射端面とは平行になる。
【００２３】
並べて設けられた複数の導光体の両端には、第２導光体３１、３２がそれぞれ配置される。第２導光体３１は、出射面３１ｅの直角が形成された部分が外側を向くように配置される。また、第２導光体３２は、出射面３２ｅの直角が形成された部分が外側を向くように配置される。以上から、複数の導光体は、平面視において長方形を形成するように並べて設けられる。複数の導光体は、平面視において長方形を形成するようにタイル状に並置される。ここで、並べて設けられた複数の導光体は、平面視において正方形であってもよい。
【００２４】
図２に示すように、本実施の形態では、隣接する２つの導光体の間には隙間が設けられる。この変形例として、図１に示されるように、隣接する２つの導光体は接していても良い。この場合、隣接する２つの導光体において、一方の導光体の第１側面または第２側面と、他方の導光体の第１側面または第２側面が接する。
【００２５】
図３は、実施の形態１に係る導光体の構造を説明する図である。レーザー光源１１からはレーザー光４０が出射される。図３に示されるように、第１導光体３０の出射面３０ｅの広がり角θ０は、レーザー光４０の発散角θｄよりも小さい。ここで、出射面３０ｅの広がり角θ０は、レーザー光４０の発散角θｄ以下であれば良い。ここで、広がり角θ０は、第１側面３０ｃと第２側面３０ｄの成すテーパー角である。
【００２６】
同様に、第２導光体３１、３２においても、出射面３１ｅ、３２ｅの広がり角は、レーザー光４０の発散角θｄよりも小さい。ここで、出射面３１ｅ、３２ｅの広がり角は、レーザー光４０の発散角θｄ以下であれば良い。
【００２７】
また、本実施の形態では、第１導光体３０の入射端面３０ａの幅は、入射端面３０ａにおけるレーザー光４０のビーム幅Ｗに等しい。ここで、入射端面３０ａの幅は、入射端面３０ａにおけるレーザー光４０のビーム幅Ｗ以下であれば良い。同様に、第２導光体３１、３２においても、入射端面３１ａ、３２ａの幅は、入射端面３１ａ、３２ａにおけるレーザー光４０のビーム幅Ｗに等しい。ここで、入射端面３１ａ、３２ａの幅は、入射端面３１ａ、３２ａにおけるレーザー光４０のビーム幅Ｗ以下であれば良い。
【００２８】
なお、第１導光体３０に入射したレーザー光４０は、第１側面３０ｃおよび第２側面３０ｄに反射されるため、入射した第１導光体３０の第１側面３０ｃおよび第２側面３０ｄよりも外側には広がらない。図３では広がり角θ０と発散角θｄの比較のために、便宜上、第１導光体３０とレーザー光４０を重ねた状態が示されている。
【００２９】
図４は、実施の形態１に係る第１導光体３０の斜視図である。第１導光体３０の裏面３０ｆには、複数の光取り出し構造２０が設けられている。光取り出し構造２０は、レーザー光４０を出射面３０ｅから取り出すために設けられる。同様に、第２導光体３１、３２の裏面３１ｆ、３２ｆにも、複数の光取り出し構造２０が設けられている。光取り出し構造２０は、例えば、導光体の裏面に設けられたＶ字溝、Ｕ字溝、切り欠き、穴などである。
【００３０】
各々の導光体に入射したレーザー光４０は、導光体の内面で反射されながら導光体の内部を伝搬する。光取り出し構造２０に入射したレーザー光４０は、乱反射される。この結果、導光体内を伝搬するための全反射条件が破られ、レーザー光４０は出射面から出射される。従って、照明装置１において、導光体の出射面が発光面となる。ここで、光取り出し構造２０は、レーザー光４０の角度を変更し、レーザー光４０を導光体の出射面から取り出す構造であれば、別の構造でも良い。
【００３１】
図５は、実施の形態１に係る光取り出し構造２０を説明する図である。第１導光体３０において、入射端面３０ａから離れるほど、裏面３０ｆの単位面積当たりの複数の光取り出し構造２０が占める面積が増える。同様に第２導光体３１、３２においても、入射端面３１ａ、３２ａから離れるほど、裏面３１ｆ、３２ｆの単位面積当たりの複数の光取り出し構造２０が占める面積が増える。
【００３２】
ここで、入射端面から離れるほど、導光体の裏面の単位面積内に設けられる光取り出し構造２０の数が増えるものとしても良い。また、入射端面から離れるほど、光取り出し構造２０の密度が大きくなるものとしても良い。また、入射端面から離れるほど、各々の光取り出し構造２０が大きくなるものとしても良い。
【００３３】
図６は、実施の形態１の比較例に係る照明装置１０１の平面図である。比較例に係る照明装置１０１は、矩形の導光体１３０を備える。矩形の導光体１３０にはレーザー光源１１からレーザー光４０が入射される。一般に、半導体レーザー光源では、出射光の指向性および直進性が高い。このため、レーザー光源の光を、単純な矩形の導光体１３０に入射させた場合、図６に示されるように、入射端面の近傍における入射部の両側の領域１３９には光が到達し難い。
【００３４】
これに対し、本実施の形態では、導光体の入射端面の幅は、入射端面におけるレーザー光４０のビーム幅Ｗと等しい。さらに、導光体の出射面は台形であり、出射面の広がり角は、レーザー光４０の発散角θｄよりも小さい。以上から、レーザー光４０を導光体内のすべての領域に到達させることができる。
【００３５】
また、レーザー光４０は、導光体に入射すると、全反射により導光体の内部を伝搬する。導光体内部を伝搬するレーザー光４０は、光取り出し構造２０によって出射面から出射される。ここで、一般に、導光体の内部において、入射端面から離れるほど光密度が低い。本実施の形態において複数の光取り出し構造２０は、導光体内の光密度に合わせて、光密度が高い領域ほど疎に、光密度が低い領域ほど密になるように、密度が調整されている。複数の光取り出し構造２０は、導光体の出射面から出射される光量分布が面内で均一となるように設計されている。このため、導光体から出射される光の強度分布を導光体の出射面内で均一にできる。以上から、各々の導光体を、光の強度が均一な面発光体とすることができる。
【００３６】
さらに、本実施の形態では、複数の導光体は平面視において長方形を形成するように並べて設けられる。このため、照明装置１において、光の強度が均一な長方形の発光領域を形成できる。以上から、本実施の形態では、直進性および指向性が高い半導体レーザー光源を用いて、面状に発光する照明装置１を簡易な構造で得ることができる。このため、本実施の形態では、面状に発光する照明装置１を低コストで得ることができる。
【００３７】
複数の導光体の各々から出射されたレーザー光４０は、光拡散シート１４を通過して、照明装置１の外部に出射される。光拡散シート１４により、レーザー光４０の角度分布が調整される。ここで、隣接する導光体の境界部分には、発光状態が不連続となる部分が形成される場合がある。本実施の形態では、光拡散シート１４により、導光体の境界部分における発光状態の不連続性を緩和できる。従って、さらに均一な発光領域を形成できる。
【００３８】
また、反射シート１３によって、界面反射または光拡散により導光体の裏面に向かって出射された光を効率よく反射できる。このため、導光体の裏面に向かって出射された光を、出射面から出射させる光として有効利用できる。
【００３９】
図７は、実施の形態１の第１の変形例に係る照明装置２０１の平面図である。実施の形態１では、レーザー光４０は、平面状の入射端面に入射した。これに対し、各々の導光体の入射端面には光拡散構造２２２が設けられても良い。光拡散構造２２２は、レーザー光４０の発散角θｄを拡げる。光拡散構造２２２は、例えばプリズムである。各々の導光体の入射端面に光拡散構造２２２が設けられることで、発散角θｄが拡がる。このため、各々の導光体の広がり角を大きくできる。これにより、各々の導光体の幅が大きくなり、照明装置２０１が備える導光体の数を削減できる。従って、さらに簡素に照明装置２０１を構成できる。
【００４０】
図８は、実施の形態１の第２の変形例に係る照明装置３０１の平面図である。実施の形態１では、各々の導光体にレーザー光源１１が設けられた。これに対し、１つのレーザー光源１１からのレーザー光４０が分割され、複数の導光体に入射されてもよい。第２の変形例に係る照明装置３０１は、レーザー光４０を分割する光分離素子３２６を備える。光分離素子３２６には、導光素子３２７が接続される。導光素子３２７は、分割されたレーザー光４０を複数の導光体の各々の入射端面に導く。導光素子３２７は例えば光ファイバである。
【００４１】
半導体レーザーの発光特性には、ばらつきが生じる場合がある。このため、発光特性のばらつきにより、各々の導光体の発光強度にばらつきが生じる可能性がある。本変形例では、１つのレーザー光源１１が出射するレーザー光４０を分割し、複数の導光体に入射させる。このため、発光特性のばらつきによる各々の導光体の発光強度のばらつきを抑制できる。従って、さらに均一な光の強度分布を得ることができる。
【００４２】
本変形例では、照明装置３０１は、２つのレーザー光源１１を備える。照明装置３０１の一方の側に入射端面が配置された３つの導光体には、一方のレーザー光源１１からレーザー光４０が入射される。照明装置３０１の他方の側に入射端面が配置された２つの導光体には、他方のレーザー光源１１からレーザー光４０が入射される。これに対し、照明装置３０１はレーザー光源１１を１つのみ備え、１つのレーザー光源１１から全ての導光体にレーザー光４０が入射されるものとしても良い。
【００４３】
また、本実施の形態では、各々の導光体の出射面は台形である。この変形例として、各々の導光体の出射面は台形以外でも良い。各々の導光体の出射面は、入射端面から対向面に向かって幅が広くなればよい。また、本実施の形態では、各々の導光体において入射端面、対向面、第１側面および第２側面は、出射面と垂直であるものとした。この変形例として、入射端面、対向面、第１側面および第２側面は、出射面と垂直ではなくても良い。
【００４４】
また、本実施の形態に係る第１導光体３０および第２導光体３１、３２において、角度θ１、θ２、θ３およびθ４は全て等しい。これに対し、角度θ１、θ２、θ３およびθ４は異なる角度でも良い。
【００４５】
また、本実施の形態では、隣接する２つの導光体において、一方の導光体の入射端面と他方の導光体の対向面とが隣接し、一方の導光体の対向面と他方の導光体の入射端面とが隣接するものとした。ここで、隣接する２つの導光体において、一方の導光体の入射端面と他方の導光体の対向面とが平面視において非平行であっても良い。また、一方の導光体の入射端面と他方の導光体の対向面とが平面視において、一方の導光体の入射端面と垂直な方向にずれていても良い。
【００４６】
また、本実施の形態では、照明装置１は導光体を５個備える。ここで、照明装置１が備える導光体の数はこれに限らない。照明装置１が備える導光体の数は、目的とする発光領域の形状に応じて変更する。このため、本実施の形態では、導光体の数または導光体の配置を変更することで、発光領域の形状を容易に変更できる。
【００４７】
また、本実施の形態では、３個の第１導光体３０の両側に第２導光体３１、３２がそれぞれ設けられた。この変形例として、照明装置１は、導光体として複数の第１導光体３０のみを備えても良い。この場合、照明装置１が備える導光体の構造を標準化できる。また、照明装置１は、導光体として複数の第２導光体３１または複数の第２導光体３２のみを備えても良い。この場合も、照明装置１が備える導光体の構造を標準化できる。さらに、第２導光体３１または第２導光体３２を複数並べることで、第２導光体３１または第２導光体３２のみから、長方形または正方形の発光領域を形成できる。
【符号の説明】
【００４８】
１、２０１、３０１  照明装置、１１  レーザー光源、３０  第１導光体、３１、３２  第２導光体、３０ａ、３１ａ、３２ａ  入射端面、３０ｂ、３１ｂ、３２ｂ  対向面、３０ｃ、３１ｃ、３２ｃ  第１側面、３０ｄ、３１ｄ、３２ｄ  第２側面、３０ｅ、３１ｅ、３２ｅ  出射面、３０ｆ、３１ｆ、３２ｆ  裏面、４０  レーザー光、θ０  広がり角、θｄ  発散角、θ１、θ２、θ３、θ４  角度、Ｗ  ビーム幅、１３  反射シート、１４  光拡散シート、２０  光取り出し構造、２２２  光拡散構造、３２６  光分離素子、３２７  導光素子
【図１】
2018137169.tif 000003
【図２】
2018137169.tif 000004
【図３】
2018137169.tif 000005
【図４】
2018137169.tif 000006
【図５】
2018137169.tif 000007
【図６】
2018137169.tif 000008
【図７】
2018137169.tif 000009
【図８】
2018137169.tif 000010